(57)【要約】【課題】釣竿と共に保持する際に、握持性を向上させることのできる魚釣用リールを提供すること。【解決手段】スプール２０を回転自在に支持したリール本体１２の側板１６ａ，１６ｂ間の上部に、スプール２０の回転数に基づいて計測した糸長の表示器３８ａを有する制御ケース５０を設けた魚釣用リール１０であって、リール本体１２は、スプール２０の軸方向視外形を円形状に形成され、スプール２０をこの円形状外形の中心位置Ｆよりも上方かつ後方に偏倚させて配置し、この円形状外形の中心位置Ｆを通りかつ前後に延びる前後方向中心線Ｈに交差する円形状外形の前縁部６２と後縁部６４との間の前後方向領域内に、制御ケース５０を配置した魚釣用リール。【選択図】      図２
2008154563.tif 000002
【特許請求の範囲】
【請求項１】
スプールを回転自在に支持したリール本体の側板間の上部に、該スプールの回転数に基づいて計測した糸長の表示器を有する制御ケースを設けた魚釣用リールであって、
前記リール本体は、スプールの軸方向視外形を円形状に形成され、前記スプールをこの円形状外形の中心位置よりも上方かつ後方に偏倚させて配置し、この円形状外形の中心位置を通りかつ前後に延びる前後方向中心線に交差する円形状外形の前縁部と後縁部との間の前後方向領域内に、前記制御ケースを配置したことを特徴とする魚釣用リール。
【請求項２】
前記リール本体は、外側に前記側板を取付けたフレームを有し、前記制御ケースは、スプールを回転駆動するハンドルに対して反対側のフレームの外側の端面と同一あるいはこれよりも内側に配置され、この外側に隣接する側板の外周面が滑らかな円形状形状を形成する請求項１に記載の魚釣用リール。
【請求項３】
前記制御ケースは、表示器を配置した上面が、握持した手の親指を載置可能な平坦面に形成され、表示器の表示を切換える機能スイッチが、スプールを回転駆動するハンドル側に偏倚した位置で、この上面に配置される請求項１又は２に記載の魚釣用リール。
【請求項４】
前記リール本体の側板間でスプールよりも前方位置に配置され、前記スプールに釣糸を案内するレベルワインド機構と、前記リール本体の上部前方位置で側板よりも半径方向外方に突出するガード部材とを備える請求項１から３のいずれか１つに記載の魚釣用リール。
【発明の詳細な説明】
【技術分野】
【０００１】
本発明は、魚釣用リールに関し、特に、スプールを回転自在に支持したリール本体の側板間の上部に、該スプールの回転数に基づいて計測した糸長の表示器を有する制御ケースを設けた魚釣用リールに関する。
【背景技術】
【０００２】
従来、スプールの回転数に基づいて釣糸の繰出し量や巻取り量を計測し、これを表示する糸長計測装置を備えた手巻き式の魚釣用リールが開発されている。
【０００３】
このような魚釣用リールは、糸長計測装置の表示器を有する制御ボックスが、前後方向に長く形成されたリール本体の上部前方に取り付けられ、実釣時にこの表示器に表示された糸長値を視認し易く形成されている（例えば特許文献１および特許文献２参照）。
【特許文献１】実開昭６０−１２１７５８号公報
【特許文献２】特開平１１−７５６３７号公報
【発明の開示】
【発明が解決しようとする課題】
【０００４】
このような従来の魚釣用リールでは、リール本体が前方に張出し、この前方に張出した部分に制御ケースが設けられるため、以下のような事項について改善が望まれている。
【０００５】
第１に、制御ケースが魚釣用リールの最後部から前方に離隔した位置に配置されているため、釣竿に取付けた魚釣用リールを釣竿と共に手で握持保持する際、反ハンドル側すなわちスプールを回転駆動する釣糸巻取用ハンドルに対して反対側で握持する手の親指を制御ケースの上面に載置し難い。このため、手の安定性が悪く、操作がぎこちなくなり、握持保持性に劣る。
【０００６】
第２に、反ハンドル側の側板の上部に及ぶ位置まで制御ケースが突出する状態で載置されているため、魚釣用リールを握持保持する際に邪魔になることに加え、握持する掌の親指の付け根部分付け根部分に違和感が生じ易く、保持性に劣る。
【０００７】
本発明は、このような事情に基づいてなされたもので、釣竿と共に保持する際に、握持性を向上させることのできる魚釣用リールを提供することを目的とする。
【課題を解決するための手段】
【０００８】
上記目的を達成するため、本発明によると、スプールを回転自在に支持したリール本体の側板間の上部に、該スプールの回転数に基づいて計測した糸長の表示器を有する制御ケースを設けた魚釣用リールであって、前記リール本体は、スプールの軸方向視外形を円形状に形成され、前記スプールをこの円形状外形の中心位置よりも上方かつ後方に偏倚させて配置し、この円形状外形の中心位置を通りかつ前後に延びる前後方向中心線に交差する円形状外形の前縁部と後縁部との間の前後方向領域内に、前記制御ケースを配置した魚釣用リールが提供される。
【０００９】
前記リール本体は、外側に前記側板を取付けたフレームを有し、前記制御ケースは、スプールを回転駆動するハンドルに対して反対側のフレームの外側の端面から内側に配置され、この外側に隣接する側板の外周面が滑らかな円形状形状を形成することが好ましい。
【００１０】
また、前記リール本体は、外側に前記側板を取付けたフレームを有し、前記制御ケースは、スプールを回転駆動するハンドルに対して反対側のフレームの外側の端面と同一あるいはこれよりも内側に配置され、この外側に隣接する側板の外周面が滑らかな円形状形状を形成するのが好ましい。
【００１１】
更に、前記リール本体の側板間でスプールよりも前方位置に配置され、前記スプールに釣糸を案内するレベルワインド機構と、前記リール本体の上部前方位置で側板よりも半径方向外方に突出するガード部材とを備えてもよい。
【発明の効果】
【００１２】
この魚釣用リールによると、円形状のリール本体の側板間の上部スペースを活用してスプールと制御ケースとを配置することにより、釣竿と共に魚釣用リールを握持した際、握持する手の親指を制御ケースの上面を介して無理なく保持することができ、握持する手が安定し、握持性を格別に向上させることができる。
【００１３】
制御ケースがスプールを回転駆動するハンドルに対して反対側のフレームの外側の端面と同一あるいはこれよりも内側に配置され、これに隣接する側板の外周面が滑らかな円形状形状を形成する場合には、リール本体からの制御ケースの突出量を少なくすることができ、この魚釣用リールを釣竿と共に握持する際の違和感が解消される。
【００１４】
また、制御ケースの上面が平坦面に形成され、機能スイッチがハンドル側に偏倚した位置に配置される場合には、制御ケースの上面に親指を載置し易く、保持性が向上する。
【００１５】
更に、リール本体の側板間でスプールよりも前方位置に配置され、前記スプールに釣糸を案内するレベルワインド機構と、前記リール本体の上部前方位置で側板よりも半径方向外方に突出するガード部材とを備える場合には、握持操作性が向上すると共に、保持した手の指が誤ってレベルワインド機構部に入り込むのを確実に防止することができる。
【発明を実施するための最良の形態】
【００１６】
図１から図４は、本発明の好ましい実施形態による魚釣用リール１０を示す。
【００１７】
図１に全体を示すように、本実施形態の魚釣用リール１０は、両軸受型手巻きリールとして形成してある。この魚釣用リール１０のリール本体１２は、連結部材等で一体化される左右一対のフレーム１４ａ，１４ｂのそれぞれの外側に、例えばビス、螺合あるいは嵌合等の結合手段により、円形状あるいは円筒状形状の外形を有する側板１６ａ，１６ｂを取付けて、全体的に剛性構造のハウジングとして形成され、取付脚部１８を介して釣竿に固定される。
【００１８】
釣糸が巻回されるスプール２０は、左右のフレーム１４ａ，１４ｂ間に回転自在に支持され、右側板１６ｂは、スプール２０を回転駆動させる巻取り駆動部２２を支持し、この右側板１６ｂ内に右フレーム１４ｂで区画された空間内に、この巻取り駆動部２２の駆動力伝達系やドラグ系等の各種機構が収容される。
【００１９】
このリール本体１２のフレーム１４ａ，１４ｂ間には、スプール２０を装着してこのスプール２０と共に回転するスプール軸２０ａの両端部が、例えば図示のようなボール軸受２４（一方のみを示す）を介して回転自在に支持されている。このスプール軸２０ａの一端側から右フレーム１４ｂを通して突出する端部は、このスプール軸２０ａと一体で同軸状に配置されるピニオン軸２８ａとして形成してあり、このピニオン軸２８ａ上にハンドル２６で回転駆動されるピニオン２８が移動可能に支持されている。
【００２０】
このピニオン２８は、ピニオン軸２８ａを挿通する筒状構造を有し、右フレーム１４ｂおよび右側板１６ｂで支えられた軸受（図示しない）により、リール本体１２に対して回転可能かつ軸方向に移動可能に支持されている。左右のフレーム１４ａ，１４ｂ間に配置されたクラッチレバー３０を介してクラッチ機構３２をＯＮ／ＯＦＦ操作することにより、ピニオン２８は、図１に示すようにスプール軸２０ａに嵌合してスプール軸２０ａと一体的に回転する係合位置と、スプール軸２０ａとの係合状態が解除された非係合位置との間を移動することができる。
【００２１】
このピニオン２８の移動は、ピニオン２８に形成された周溝２８ｂに係合するヨーク３４を、クラッチ機構３２のＯＮ／ＯＦＦ操作に連動させて、ピニオン軸２８ａに沿って移動することで行うことができ、ピニオン２８が図１に示す係合位置に配置されたときに、クラッチＯＮの釣糸巻取可能状態となり、図示しない非係合位置では、クラッチＯＦＦのスプールフリー回転状態となる。このクラッチＯＦＦの状態からハンドル２６を回転すると、図示しない復帰機構を介して、クラッチＯＮの状態に復帰することができる。
【００２２】
更に、右側板１６ｂ内には、一端に締付けナット３６でハンドル２６を取付けられたハンドル軸２６ａがピニオン軸２８ａと平行に配置されており、このハンドル２６を回転することにより、回転駆動される。
【００２３】
このハンドル軸２６ａは、図示しない軸受を介して右フレーム１４ｂおよび右側板１６ｂで回転可能に支持されている。このハンドル軸２６ａをハンドル２６側で支える軸受は、右側板１６ｂの略円筒状に突出する突出部１６ｃに設けてあり、この突出部１６ｃ内には、ハンドル軸２６ａの釣糸巻回方向への回転を許容し、逆方向の回転を阻止する図示しない一方向クラッチを配置することができる。
【００２４】
また、ハンドル軸２６ａには駆動歯車４０が装着されており、この駆動歯車４０を介してハンドル軸２６ａの回転をピニオン２８に伝達すると共に、スプール２０上に釣糸を均等に巻回するレベルワインド機構４２を作動することができる。このレベルワインド機構４２は、スプール２０の前方側で左右のフレーム１４ａ，１４ｂ間に延びる筒体４４に摺動自在に係合子４４ａを装着し、この筒体４４内に延設したウォームシャフト４６（図２および図３）の一端に配置した連動歯車を上述の駆動歯車４０で回転駆動するものである。ウォームシャフト４６が駆動歯車４０で回転駆動されると、ウォームシャフトの外周面に設けたトラバース溝（図示しない）に係合する係合子４４ａが筒体４４に沿って左右に摺動する。これにより、係合子４４ａに形成されたガイド孔４４ｂ（図５参照）を通して、釣糸がスプール２０上に均等に釣糸を巻回される。
【００２５】
図２および図３に示すように、本実施形態の魚釣用リール１０は、フレーム１４ａ，１４ｂと側板１６ａ，１６ｂを有するリール本体１２がスプール軸２０ａおよびハンドル軸２６ａの軸方向に沿って見た軸方向視あるいは側面視で円形状の外形を有しており、図２には、その円形状外形の中心位置を符号で示してある。なお、図２および図３は左側板１４ａおよび左フレーム１６ａの外形形状を示すものであるが、右側板１４ｂ，１６ｂも同様に形成してあり、したがって、リール本体１２の全体は略円筒状の外形を形成し、その中心軸線は、中心位置Ｆを通る。このリール本体１２の外径は掌で握持し易い大きさであれば適宜の大きさでよく、例えば外形５０〜７０ｍｍ程度に形成するのが好ましい。
【００２６】
このリール本体１２の左右のフレーム１４ａ，１４ｂ間に支持されるスプール２０は、その中心軸線が通る中心位置Ｓをリール本体１２の中心位置Ｆよりも上方かつ後方に偏倚させて配置してある。この中心位置Ｓは、スプール２０のフランジ部２１が側板１６ａから半径方向外方に突出せず、更に、クラッチレバー３０等のリール本体１２に取付けられる部材と干渉しない位置に配置する。そして、スプール２０をリール本体１２の中心位置Ｆの上方かつ後方に偏倚させることにより、リール本体１２の上部に所要のスペースＫを形成する。
【００２７】
リール本体１２の上部に形成したこのスペースＫには、スプール２０の回転数に基づいて計測した糸長の表示器４８ａを有する制御ケース５０を配置してある。
【００２８】
本実施形態の制御ケース５０は、リール本体１２のフレーム１４ａ，１４ｂ間の軸方向寸法と同じ又はそれ以下に形成した細長いボックス状形状を有し、フレーム１４ａ，１４ｂに固定される下部部分５２が４つの角部を有する角形に形成され、表示器４８ａを配置した上面５４が平坦面に形成されている。この上面５４には、更に、表示器４８ａの表示を切換える機能スイッチ４８ｂを配置してある。
【００２９】
本実施形態の機能スイッチ４８ｂは、ハンドル２６に近接した一側側に偏倚した位置で押圧作動操作を容易にできる程度に、上面５４から僅かに突出形成されている。更に、このように機能スイッチ４８ｂを一側側に偏倚させて配置することにより、反ハンドル側の指の載置スペースを広く確保でき、制御ケースの上面に親指を載置し易く、保持性を向上させることができる。この上面５４の周部は、滑らかな傾斜面５６で囲まれており、この傾斜面５６の下側から角形の下部部分５２に移行する。
【００３０】
図３および図４に示すように、本実施形態では、フレーム１４ａ，１４ｂの上記スペースＫに制御ケース５０を配置するため、フレーム１４ａ，１４ｂの上部に切欠き載置部６０を形成してあり、この切欠き載置部６０に配置される下側部分５２の側面からは、円弧状の突起５８を突出させてある。制御ケース５０の下側部分５２を切欠き載置部６０内に配置し、この突起５８を側板１６ａ，１６ｂの開口側縁部の円筒状部分で係止することにより、特別な結合手段を用いることなく、制御ケース５０を切欠き載置部６０を介してリール本体１２に取付け位置固定することができる。
【００３１】
本実施形態では、図４に詳細に示すように、制御ケース５０の両側の端面は、フレーム１４ａ，１４ｂの外側の端面と同一面内あるいはこれよりも内側に配置されており、これにより、隣接する側板１６ａ，１６ｂの外周面１６ａ′，１６ｂ′が滑らかな円形あるいは円筒状形状を形成する。したがって、リール本体１２からの制御ケース５０の突出量、特に、ハンドル２６に対して反対側でこの魚釣用リール１０を釣竿と共に握持する際の違和感を解消し、握持感を良好なものとすることができる。なお、図４には、制御ケース５０の両側の端面をフレーム１４ａ，１４ｂのそれぞれの外側の端面と同一あるいはこれよりも内側に配置してあるが、握持する手の違和感を解消するためには、少なくともハンドル２６と反対側で、制御ケース５０の突出量を少なくするだけでもよい。
【００３２】
このように、リール本体１２に固定される制御ケース５０は、リール本体１２の中心位置Ｆを通りかつ前後に延びる前後方向中心線Ｈに交差するリール本体１２の外形すなわち図２に示す側板１６ａ，１６ｂの外周部の前縁部６２と後縁部６４との間の前後方向領域内に配置される。具体的には、リール本体１２の上部に設けられる制御ケース５０は、前縁部６２あるいは後縁部６４から突出することなく、リール本体１２の中心位置Ｆより前方側（前縁部６２側）に制御ケース５０全体を配置することにより、釣竿と共に魚釣用リール１０を握持した際、握持する手の親指を制御ケース５０の平坦な上面５２を介して無理なく保持することができ、握持する手が安定し、握持性を格別に向上させることができる。したがって、この制御ケース５０は、握持した手の親指を載置するためのサムレストとして用いることができる。特に、上面５２上の機能スイッチ４８ｂがハンドル側に偏倚しているため、反ハンドル側の指の載置スペースを広く確保でき、この制御ケース５０の上面５２に親指を載置し易く、保持性を向上させることができる。
【００３３】
図３に示すように、本実施形態の制御ケース５０は、側部から延出した可撓性ケーブル６６を介して、磁気センサおよび電池等を含む検出装置と共にスプール２０の軸受２４（図１）を有する検出体６８に連結されている。この検出体６８は、例えば複数のネジＮで左フレーム１４ａの外面に固定されており、図１に概略的に示すように、スプール２０側に固定した磁石７０に対向配置した磁気センサ７２を介してスプール２０の回転数を検出する。このため、検出体６８内に配置された電子制御装置により、磁気センサ７２の検出値に基づいて釣糸の繰出し量を計算し、この計算値を表示器４８ａに表示させることができる。この表示器４８ａ内の表示内容は、機能スイッチ４８ｂを押圧操作することで、例えば、糸長表示や時間表示等にモードを切換えたり、リセット操作される。
【００３４】
検出体６８は可撓性ケーブル６６を介して制御ケース５０の一側に連結されているが、フレーム１４ａ，１４ｂのそれぞれに制御ケース５０を載置するための同じ形状の切欠き載置部６０が形成され、この制御ケース５０の左右からそれぞれ突出させた同じ形状の円弧状の突起５８を側板１６ａ，１６ｂで係止することにより固定するため、その取付け構造が左右おなじであり、検出体６８と制御ケース５０への可撓性ケーブル６６の取付け位置を変更することで、このリール本体１２と制御ケース５０とを図１に示す右ハンドル用魚釣用リール１０だけでなく、ハンドル２６を反対側に取付ける左ハンドル用としても用いることができる。
【００３５】
このように形成した魚釣用リール１０は、円形状のリール本体１２の側板１６ａ，１６ｂ間の上部スペースＫを活用してスプール２０と制御ケース５０とを好適に配置することにより、釣竿と共に魚釣用リール１０を握持した際、握持する手の親指を制御ケース５０の上面５２を介して無理なく保持することができ、握持する手が安定し、握持性を格別に向上させることができ、使い勝手を大きく向上させることができる。
【００３６】
図５から図１０は、リール本体１２の左右にガード部材８０を設けた魚釣用リール１０Ａを示す。なお、以下に示す実施形態あるいは変形例は、基本的には上述の実施形態と同様であるため、同様な部位には同様な符号を付し、その詳細な説明を省略する。
【００３７】
本実施形態の魚釣用リール１０Ａは、制御ケース５０を取付けた部位からレベルワインド機構４２が位置する部位にわたるリール本体１２の前部上方領域で、フレーム１２の側板１６ａ，１６ｂから半径方向外方に向け、ガード部材８０が突出する。
【００３８】
図５および図６に示すように、このガード部材８０は、全体的に三日月状の形状を有し、複数のビス８２により、フレーム１４ａ，１４ｂ側から側板１６ａ，１６ｂの端面に取付けられて、固定される。この側板１６ａ，１６ｂの端面には、このガード部材８０が嵌合する溝８４を形成してあり、ガード部材８０を固定したときに、側板１６ａ，１６ｂの内端面から突出することなく、滑らかな平坦面を形成する。なお、図６に示すように、前方のビス８２で固定するためのタブ８６が内周側に突出形成されている。
【００３９】
本実施形態のガード部材８０は、制御ケース５０の後縁部よりも後方側で、上述の中心位置Ｆの垂直方向上方位置から、側板１６ａ，１６ｂの外周面に沿って延び、その先端部は、上述の前縁部６２よりも僅かに上方で終端している。そして、このガード部材８０は、外周縁部が前後方向中心線Ｈとほぼ平行に延びる上部領域８０ａと、この上部領域８０ａに連続して外周縁部が円弧状に延びる中間領域８０ｂと、この中間領域８０ｂに連続して外周縁部が上下方向に延びる前部領域８０ｃとを有する。
【００４０】
上部領域８０ａでは、外周縁部が制御ケース５０の上面５４よりも上方に突出しないように、リール本体１２側に位置しており、把持した手の親指を制御ケース５０の上面５４上に載置する際に、このガード部材８０が邪魔になることはない。また、中間領域８０ｂでは、前部領域８０ｃ側に向けて外周縁部が中心位置Ｆから次第に離隔し、前縁部６２にほぼ対応した上方位置８０ｄで、中心位置Ｆから最も離隔し、この後、外周縁部が上下方向に延びる前部領域８０ｃに移行するため、側板１６ａの外周部に沿わせた指が側板１６ａの内側（スプール２０側）に移動し、誤って左右に往復動する係合子４４ａに触れるのを確実に防止し、危険を確実に回避することができる。
【００４１】
図７から図１０に示すように、このガード部材８０には、制御ケース５０と対応する位置に、例えば２つの貫通孔８１がそれぞれ形成されており、この貫通孔８１にピン８８が圧入される。これらのピン８８は、制御ケース５０の側面に形成した取付孔９０（図１０）に嵌合して、制御ケース５０をリール本体１２に取付けて位置決め固定することができる。これらのピン８８および取付孔９０も、制御ケース５０の左右側で同様に形成し、右ハンドル用および左ハンドル用として兼用できることが好ましい。
【００４２】
このようなガード部材８０を備えた魚釣用リール１０Ａは、上述の実施形態における魚釣用リール１０と同様に釣竿と共にリール本体１２を保持する手の親指で無理なく制御ケース５０の上面５４を保持できるため、指当て部材すなわりサムレストとして有効に機能させることができ、握持性が格別に向上する。しかも、ガード部材８０は、側板１６ａ，１６ｂの外周部で、制御ケース５０よりも内側に位置するために、握持保持性を阻害することなく、保持した手の指がフレーム１４ａ，１４ｂの内側に入り、誤ってレベルワインド機構部４２にまで入り込むのを確実に防止することができる。
【００４３】
なお、上述の実施形態は、それぞれ変形可能なことは明らかであり、例えば制御ケース５０は、ピン８８に代えて円弧状の突起５８を設けることも可能である。この場合は、突起５８をガード部材８０で保持することも可能である。
【図面の簡単な説明】
【００４４】
【図１】本発明の好ましい実施形態による魚釣用リールを示す部分断面図。
【図２】図１のＩ−Ｉ線の方向に沿う図。
【図３】図１の反ハンドル側の側板内を示す断面図。
【図４】図１の制御ケースの取付部を示す拡大断面図。
【図５】他の実施形態による魚釣用リールの斜視図。
【図６】図５の魚釣用リールの反ハンドル側の説明図。
【図７】図５の魚釣用リールの上から見た部分断面図。
【図８】図５の制御ケースの取付部の拡大断面図。
【図９】図５の制御ケースの取付部の他の部分の拡大断面図。
【図１０】図５の制御ケースの斜視図。
【符号の説明】
【００４５】
１０…魚釣用リール、１２…リール本体、１４ａ，１４ｂ…フレーム、１６ａ，１６ｂ…側板、２０…スプール、３８ａ…表示器、５０…制御ケース、Ｆ…中心位置、Ｈ…前後方向中心線。
【図１】
2008154563.tif 000003
【図２】
2008154563.tif 000004
【図３】
2008154563.tif 000005
【図４】
2008154563.tif 000006
【図５】
2008154563.tif 000007
【図６】
2008154563.tif 000008
【図７】
2008154563.tif 000009
【図８】
2008154563.tif 000010
【図９】
2008154563.tif 000011
【図１０】
2008154563.tif 000012